(57)【特許請求の範囲】
【請求項１】
円形や方形の沈澱池の中央に立設されたセンター軸の下部回りで周方向に回転するように設けられたレーキと、同レーキを回転駆動させる駆動手段と、汚水を導入する手段と、掻き寄せられた汚泥を排出する手段とを備えた円形沈澱池等における汚泥掻寄装置において、前記駆動手段は、水中モーターを駆動源としてレーキの回転する部分に装備され、同駆動手段として、レーキを回転させる走行輪を備えているとともに、駆動源からのコードは、池上まで導かれている円形沈澱池等における汚泥掻寄装置。
【請求項２】
請求項１において、走行輪は、沈澱池の底壁上に沿って運動するようになっている円形沈澱池等における汚泥掻寄装置。
【請求項３】
請求項１または２において、レーキは、センター軸側を支点にして上下に揺動自在に支持され、上方への揺動により駆動手段が水面以上に浮上可能になっている円形沈澱池等における汚泥掻寄装置。
【請求項４】
請求項１から３までのいずれかにおいて、レーキは、センター軸を介する一方に伸び、他方にはバランスウエイトが設けられている円形沈澱池等における汚泥掻寄装置。
【請求項５】
請求項１から４までのいずれかにおいて、汚水はセンター軸内を通じて池内に導入可能とされている円形沈澱池等における汚泥掻寄装置。
【請求項６】
請求項１から５までのいずれかにおいて、センター軸からの汚水の出口外周囲には、汚泥の拡散を規制し流下させる筒体が設けられている円形沈澱池等における汚泥掻寄装置。
【請求項７】
請求項６において、センター軸からの汚水の出口には、緩衝部材が対向配置されている円形沈澱池等における汚泥掻寄装置。
【発明の詳細な説明】
【０００１】
【発明の属する技術分野】
この発明は、円形沈澱池や方形沈澱池における汚泥掻寄装置に関する。
【０００２】
【従来の技術】
例えば、円形沈澱池では、池上に歩廊が横架され、同歩廊に駆動手段であるモーターや減速機などが設置されて、センター軸を介して池底のレーキを回転駆動するようにしてあるのが一般的である。
【０００３】
この方式では装置が大型化して施工が大変でありしかもコストダウンを図れなかった。
【０００４】
この発明は前記課題を解決するためになされたもので、構造的に簡単であるとともにコストダウンも実現するようにすることを目的とする。
【０００５】
【課題を解決するための手段】
前記課題を解決するため、請求項１記載の発明は、円形や方形の沈澱池の中央に立設されたセンター軸の下部回りで周方向に回転するように設けられたレーキと、同レーキを回転駆動させる駆動手段と、汚水を導入する手段と、掻き寄せられた汚泥を排出する手段とを備えた円形沈澱池等における汚泥掻寄装置において、前記駆動手段は、水中モーターを駆動源としてレーキの回転する部分に装備され、同駆動手段として、レーキを回転させる走行輪を備えているとともに、駆動源がらのコードは、池上まで導かれている。
【０００６】
請求項２記載の発明は、請求項１において、走行輪は、沈澱池の底壁上に沿って運動するようになっている。
【０００７】
請求項３記載の発明は、請求項１または２において、レーキは、センター軸側を支点にして上下に揺動自在に支持され、上方への揺動により駆動手段が水面以上に浮上可能になっている。
【０００８】
請求項４記載の発明は、請求項１から３までのいずれかにおいて、レーキは、センター軸を介する一方に伸び、他方にはバランスウエイトが設けられている。
【０００９】
請求項５記載の発明は、請求項１から４までのいずれかにおいて、汚水はセンター軸内を通じて池内に導入可能とされている。
【００１０】
請求項６記載の発明は、請求項１から５までのいずれかにおいて、センター軸からの汚水の出口外周囲には、汚泥の拡散を規制し流下させる筒体が設けられている円形沈澱池等における。
【００１１】
請求項７記載の発明は、請求項６において、センター軸からの汚水の出口には、緩衝部材が対向配置されている。
【００１２】
【発明の実施の形態】
以下、図示した実施形態を参照してこの発明を詳細に説明する。
図１および図２は、この発明の好適な実施形態を示している。１は円形沈澱池で、越流堰２を備えた内周壁３と底壁４が形成されているとともに、底部中央には汚泥回収凹所５が形成されている。
【００１３】
円形沈澱池１内には、水面７が設定されているとともに、汚泥回収凹所５内からは、ステー８を介して円筒状のセンター軸９が固定式に立設されている。このセンター軸９の下部には、汚水流入パイプ１０からの汚水が流入し、そのまま上方へ流されて上部に開けた汚水流出口４０から流出するようになっている。
【００１４】
センター軸９の下部外周には軸受１２を介して回転体１３が設けられている。この回転体１３には、水平な支点軸１４を介してレーキ１５が設けられている。このレーキ１５は、ストッパ１６で下限が規定されているとともに、図１に示すように上方に立ち上がるようになっている。レーキ１５の先端には、モーター１７・減速機１８でなる駆動手段１９がレーキ１５とともに回転可能に設けられているとともに、その出力軸には、内周壁３に沿って走行するゴム製の走行輪２０が装備されている。
【００１５】
レーキ１５の高さは、ストッパ１６で規定されるが、別に自由輪を付してもよい。また、レーキ１５は、１池に１本であり、その径方向反対側には、軸２２を介してウエイトアーム２３が突き出し、同アーム２３の先端にバランスウエイト２４が装着されている。ウエイト２４には下向きにバー２５が突設され、同バー２５は、回転時、底壁４より少し離れて回転するようになっている。
【００１６】
駆動手段（モーター）１９からのコード２７は、レーキ１５、回転体１３、及びウエイトアーム２３の上面を通じて上方に導かれている。ウエイトアーム２３からは支柱２８が立設され、同支柱２８を通じて同コード２７が導かれている。センター軸９の上端には、回転筒３０が軸受３１を介して回転自在に装備され、同回転筒３０は水上に位置するとともに、その外周からは水平にコードアーム３２が延びている。同アーム３２にコード２７が導かれるが、アーム３２は支柱２８に一体化されているのではなく、輪部３３内にアーム３２が周方向に同行自在に係合したものになっている。これは相互に無理な力がかからないようにしたことによる。
【００１７】
回転筒３０の上部中央には第１電極（回転側）３５が設けられる一方、池上に張られたワイヤーロープ３６に非回転状態にした脱着自在な固定筒３７内には第２電極（固定側）３８が設けられて、これら両電極３５，３８を通じてワイヤーロープ３６に沿ったコードを介してモーター１７に電気（３相）が導かれるようになっている。
【００１８】
一方、センター軸９の上部には、汚水流入口４０が開口され、同流入口４０からの汚水はセンターウエル４１内に流出して、ここで汚水の流れを下向きにすることで汚泥を流下傾向にさせる。同センターウエル４１はセンター軸９にステーで固定されている。尚、センターウエル４１内には、汚水の流れをゆるめて汚泥を下向きの流れにする緩衝手段４２…を周方向にわたるように多数本吊り下げておいてもよい。
【００１９】
また、センターウエル４１の下方には、汚泥を下方に誘導するため、逆円錐形で上下開放状をした制御筒４３がステーを介してセンター軸９に固定支持されている。この制御筒４３は、矢印のように裾拡がり状になる汚水の流れをその周壁面に当てて下向流にするものである。この制御筒４３内にも緩衝手段４４…を吊り下げておいてもよい。緩衝手段４４，４２は、パンチングメタルであってもよい。尚、センターウエル４１の外周に更に補助制御筒４５を備えてもよい。この制御筒４５は、支柱２８より内周側に設けると支柱２８がステーに干渉しないものになる。
【００２０】
汚水流入パイプ１１からセンター軸９内を通じて導かれた汚水は流入口４０からセンターウエル４１内に流入して、センターウエル４１で下向流に変換される。さらに、制御筒４３によって汚泥は下向きに、汚水は上向きに流れを変えられる結果、汚泥が池内拡散せず、従って、レーキ１５による掻寄に要する電力は格段に少なくて済むことになる。
【００２１】
レーキ１５は、駆動手段１９による走行輪２０の内周壁３に沿った走行駆動により回転される。この場合、レーキ１５はストッパ１６で水平を保つようになっているとともに、ウエイト２４により上向きに付勢されながら軽快に回転するようになっている。
【００２２】
ワイヤーロープ３６、第２電極３８、第１電極３５を通じて導かれた電気は、コードアーム３２から支柱２８、ウエイトアーム２３およびレーキ１５を伝ってモーター１７を駆動するために導かれる。レーキ１５は、図１の往復矢印のように立ち上がったり水平に復帰したりできる。立ち上がった時、走行輪２０および駆動手段１９は完全に水面上に現れるようになっており、そこでメンテナンス自在になっている。
【００２３】
メンテナンスのため、池上には旋回により対象に接近する作業台４７が設けられており、同台４７には高台４８と低台４９が設けられている。レーキ１５の持ち上げには、図１のようにレーキ１５の上に立設した補助支柱５０を利用してもよい。また、コード２７は、前記のように配線してあるので、レーキ１５を持ち上げても何ら支障がない。レーキ１５が立ち上がる際、バー２５が底壁４上に支えとして当たりアーム２３がレーキ１５から屈曲するようになっているが、アーム２３を短くすればレーキ１５とともにアーム２３が逆向きに回転して軽快にレーキ１５を立ち上がらせることができる。また、レーキ１５は、中空状に形成してその浮力が作用する状態で軽快に回転するようにしてもよい。
【００２４】
尚、補助支柱５０には、越流堰２の内周面を清掃するためのブラシ５１を付してもよい。また、同支柱５０を経由してコード２７を導くようにしてもよい。さらに、走行輪２０は、底壁４上を走行するものであってもよい。また、同走行輪２０は、クローラ式にして常に前後一端が内周壁３に接触するようにしてもよい。さらに、レーキ１５は、１対で構成し、その一方のみに駆動手段１９を設けたり、双方の先に駆動手段１９を配したりしてもよい。
【００２５】
図３に示す実施形態は、レーキ１５を立ち上がらせる必要がなく駆動手段１９のうちメンテナンスを要す少なくともモーターおよび減速機１７，１８をレーキ１５固定状態のまま単独に持ち上げてメンテナンス可能にしたものである。
【００２６】
レーキ１５上にはガイド支柱５３が立設されてそれに沿ってモーターおよび減速機１７，１８が昇降可能とされている。モーターおよび減速機１７，１８は、越流堰がある場合には矢印のように上方で回転させるようにしてもよい。旋回自在な作業台５４も設ける。モーターおよび減速機１７，１８は、その出力軸を走行軸２０のテーパースプライン筒に嵌め込み可能にしてある。５５はガイドローラーである。尚、支柱５３を利用してコード２７を導いてもよい。
【００２７】
図４に示す実施形態は、レーキ１５を１対配し、一方のレーキ１５を上下揺動可能、他方のレーキ１５を固定式にしたものである。
【００２８】
図５に示す実施形態は、センター軸９の上端内部に第２電極３８を配し、センター軸９の上端に設けられた回転蓋５７の軸５８の外周に第１電極３５を配してコード２７を通じて電気を導くようにしたものである。尚、センター軸９には、誘導パイプ５９を接続してその出口にスポンジ等の緩衝部材６０を対向させて汚水の流れを落として汚泥を下向き流に制御するようにしたものである。前記出口はセンター軸９から外径方向に向け、センターウエル４１の内周に緩衝部材６０を配してもよい。尚、回転蓋５７は、水面７上で浮びながら回転するようにしたり、センターウエル４１に沿って回転するようにしてもよい。
【００２９】
図６に示す実施形態は、駆動手段１９への電気の導き方についてのもので、レーキ１５上に支柱６２を立設し、その中にコード２７を通すとともに、支柱６２から第１電極３５を、また池上に沿って第２電極３８を配して電通自在に構成したものである。両電極は、池内周壁側に沿って設けた第２電極により構成してもよい。
【００３０】
図７に示す実施形態は、固定側の電極３８（図１）を配す固定筒３７の支持構造についてのもので、池上面６５から池中央に斜め上がり状に三脚状に延びるパイプ式の支持フレーム６６で取り付けたものである。支持フレーム６６は、駆動手段の固定用としてもよい。図７に示すように同フレーム６６内を通じて汚水を導入するようにしてもよい。また、支持フレーム６６の各面には覆蓋６７…を配してもよい。
【００３１】
図８に示す実施形態は、仮想線で示す一般径の沈澱池６９に対し実線で示す大径の沈澱池７０に対して支持フレーム６６を構成する場合に、補助フレーム７１を追加的に設置するものを示す。
【００３２】
図９に示す実施形態は、支持フレーム６６を利用して、駆動手段のメンテ時に利用する手すり７３とステップ７４を配備したものである。
【００３３】
図１０に示す実施形態は、支持フレーム６６を汚水導入用とした場合に、同フレーム６６の中央に流入口８０を設け、同流入口８０の下方に流入制御筒８１を配して内部の千鳥配置の制御板８２…で流速を落とすようにするとともに、その下方の次段制御筒８３を通じて汚泥は下向きに汚水は上外周から導出するようにしたものである。尚、この場合のコードは、センター軸９を介して構成されている。
【００３４】
図１１および図１２に示す実施形態は、支持フレーム６６の頂点に駆動手段８５を配し、その出力軸８６に駆動軸８７を垂下し、同軸８７に水面上のスカムを掻き寄せるスクレーパ８８を取り付けたものである。８９は、スクレーパ８８で掻き寄せられたスカムを落とし込み排除するスカム除去装置である。尚、スクレーパ８８は図１２のように平面Ｓ字状にしたり、仮想線のように直線状にしてもよい。また、図１１のようにレーキ１５上にはバランサとしてのフロート９０を備え付けてもよい。さらに、スクレーパ８８にはセンターウエル４１が取り付けられ、通孔９１を通じてスカムが流出する。また、センター軸９の上端には、スポンジ等により緩衝効果をもつ頂板９２が取り付けられている。
【００３５】
尚、前記各実施形態を通じて、センター軸は固定式でなく回転式でもよい。また、図１に仮想線で示すように、駆動手段１９と回転筒３０とをリンクチェーン９３やチェーンなどで結んでレーキ１５により回転筒３０が同行回転するようにしておき、同チェーンに沿ってコードを導くようにすることがある。
【００３６】
【発明の効果】
この発明は以上のように構成されているので、構造的に簡単であるとともにコストダウンも実現できる汚泥掻寄装置を提供することができる。
【図面の簡単な説明】
【図１】  この発明の一実施形態である汚泥掻寄装置の縦断面図。
【図２】  図１のＩＩ−ＩＩ線断面図。
【図３】  駆動手段を昇降式にした他の実施形態を示す縦断面図。
【図４】  レーキの一方を持ち上げ式にし他方を固定式にした実施形態を示す断面図。
【図５】  センター軸を利用して電極を構成した他の実施形態を示す縦断面図。
【図６】  池外周に沿った電極を利用して配電するようにした実施形態を示す断面図。
【図７】  支持フレームについての実施形態を示す斜視図。
【図８】  大径沈澱池用の支持フレームを示す平面図。
【図９】  支持フレームを利用して手すり等を構成した実施形態を示す斜視図。
【図１０】  支持フレームを利用して汚水を導入する方式を示す縦断面図。
【図１１】  支持フレームを利用してスカム除去装置を構成した実施形態を示す縦断面図。
【図１２】  その平面図。
【符号の説明】
１…円形沈澱池  ７…水面  ９…センター軸  １０…汚水流入パイプ  １５…レーキ  １７…水中モーター  １９…駆動手段  ２０…走行輪  ２７…コード  ４１…センターウエル  ４３…制御筒。
【図１】
0003755113.tif 000002
【図２】
0003755113.tif 000003
【図３】
0003755113.tif 000004
【図４】
0003755113.tif 000005
【図５】
0003755113.tif 000006
【図６】
0003755113.tif 000007
【図７】
0003755113.tif 000008
【図８】
0003755113.tif 000009
【図９】
0003755113.tif 000010
【図１０】
0003755113.tif 000011
【図１１】
0003755113.tif 000012
【図１２】
0003755113.tif 000013